(57)【要約】【課題】刃先で切り込んだ切れ目の両端部に切れの斑の発生がなく、分断時に切れ目の端部から発生する切り裂きの方向が一定化する間歇切れ目を加工することができる樹脂シートへの間歇切れ目形成用刃物を提供する。【解決手段】刃物板１２の先端縁に、樹脂シートに間歇切れ目を形成するための刃先１３と欠刃部１４を交互に設けた樹脂シートへの切れ目形成用刃物１１であって、上記刃物板１２の欠刃部１４が刃先１３よりも凹入する窪みによって形成され、この窪みの両側縁部に傾斜刃先１５を設ける。【選択図】図１
2006000968.tif 000002
【特許請求の範囲】
【請求項１】
刃物板の先端縁に、樹脂シートに間歇切れ目を形成するための刃先と欠刃部を交互に設けた樹脂シートへの切れ目形成用刃物において、上記刃物板の欠刃部が刃先よりも凹入する窪みによって形成され、この窪みの縁部に刃先を設けたことを特徴とする樹脂シートへの間歇切れ目形成用刃物。
【請求項２】
刃物板の先端縁に、樹脂シートに間歇切れ目を形成するための刃先と欠刃部を交互に設けた樹脂シートへの切れ目形成用刃物の製造方法において、前記刃物板に刃先から内側に向かう縦切れ目と、この縦切れ目の内端と連なる横切れ目を設け、前記刃物板の刃先と縦切れ目及び横切れ目で囲まれた部位を、板厚方向に沿って内側に屈曲させることにより、刃先が凹入した窪みによって欠刃部を形成することを特徴とする樹脂シートへの間歇切れ目形成用刃物の製造方法。
【発明の詳細な説明】
【技術分野】
【０００１】
この発明は、食品等の製品を複数に小分けして収納するため、樹脂シートを用い、複数の容器を上端縁のフランジ部を介して連成した樹脂容器において、この樹脂容器用のフランジ部に各容器の分断を容易にするための間歇切れ目を加工するために用いる、樹脂シートへの間歇切れ目形成用刃物とその製造方法に関する。
【背景技術】
【０００２】
例えば、冷凍食品のような製品の包装形態は、必要な数だけの使用が便利に行えるよう、図４に示すように、複数の小分け容器１を上端縁のフランジ部２を介して連成した樹脂容器３を用い、各小分け容器１内に製品を収納した状態で包装するようにしている。
【０００３】
ところで、上記のような樹脂容器３は、真空成型によって一枚の樹脂シート材料からこのシート材料の一面側に突出する複数の小分け容器１が同時に成形され、この成型後に、各製品の取り出しが一つずつ容易に行えるよう、隣接する小分け容器１間のフランジ部２に切り離しのための間歇切れ目４を長さ方向に沿って設ける加工を施し、各小分け容器１をこの間歇切れ目４の部分から分断することにより切り離し、小分け容器１と共に製品を一つずつ取り出すことができるようにしている。
【０００４】
従来、上記のような樹脂容器３のフランジ部２に施す、小分け容器ごとに切り離すための間歇切れ目４は、通常ミシン目といわれている直線状の切れ目４ａと切れ目のない部分４ｂが交互に並ぶ構造を採用し、フランジ部２の長さ方向に沿って設けることになる。
【０００５】
上記のような樹脂容器１のフランジ部２に直線状の間歇切れ目４を施すために用いられている従来の刃物５は、図５のように、刃物板６の先端縁に直線状の刃先７と凹入状の切り欠きによる欠刃部８を交互に一定間隔で設けた構造になっており、刃先７を上向きにして設置し、その刃先７の上に載せたフランジ部を押し下げることによりカットすると、刃先７が切れ目４ａを入れ、欠刃部８が切れ目のない部分４ｂとなることにより、図４のような間歇切れ目４が加工されることになる。
【発明の開示】
【発明が解決しようとする課題】
【０００６】
ところで、上記のような従来の刃物５は、欠刃部８が凹入状の切り欠きによって形成されているので、欠刃部８の両側縁は刃物５の板厚がそのまま残り、この両側縁には刃先が存在しないことになり、このため、この刃物５でシート材をカットすると、刃先７で切り込んだ切れ目４ａの両端部には、刃先のない欠刃部８の両側縁がシート材に無理やり進入することになり、形成した切れ目の両端部において切れの斑が発生する。
【０００７】
切れ目４ａの両端部に上記のような斑があると、各小分け容器１を間歇切れ目４の部分から分断しようとした場合、分断力で切れ目４ａの端部から切れ目のない部分４ｂに発生する切り裂きの方向が一定化せず、切り裂きが次位置の切れ目４ａに達しない場合があるため、小分け容器１の引きちぎりが簡単に行えないような事態が発生するという問題がある。
【０００８】
そこで、この発明の課題は、欠刃部の側縁にも刃先を設けることで、刃先で切り込んだ切れ目の両端部に切れの斑の発生がなく、分断時に切れ目の端部から発生する切り裂きの方向が一定化する間歇切れ目を加工することができる、樹脂シートへの間歇切れ目形成用刃物とその製造方法を提供することにある。
【課題を解決するための手段】
【０００９】
上記のような課題を解決するため、請求項１の発明は、刃物板の先端縁に、樹脂シートに間歇切れ目を形成するための刃先と欠刃部を交互に設けた樹脂シートへの切れ目形成用刃物において、上記刃物板の欠刃部が刃先よりも凹入する窪みによって形成され、この窪みの縁部に刃先を設けた構成を採用したものである。
【００１０】
請求項２の発明は、刃物板の先端縁に、樹脂シートに間歇切れ目を形成するための刃先と欠刃部を交互に設けた樹脂シートへの切れ目形成用刃物の製造方法において、前記刃物板に刃先から内側に向かう縦切れ目と、この縦切れ目の内端と連なる横切れ目を設け、前記刃物板の刃先と縦切れ目及び横切れ目で囲まれた部位を、板厚方向に沿って内側に屈曲させることにより、刃先が凹入した窪みによって欠刃部を形成する構成を採用したものである。
【発明の効果】
【００１１】
請求項１の発明によると、刃物板の欠刃部が刃先よりも凹入する窪みによって形成され、この窪みの縁部に刃先を設けたので、シート材を刃先で切り込んだ切れ目の両端部は、窪みの縁部に設けた刃先で切り込まれるので、切れ目の両端部に切れ斑の発生がなく、シート材に加工した間歇切れ目は、シート材の分断時に切れ目の端部から発生する切り裂きの方向が一定化することになり、従って、シート材の切り裂き方向が一定化する間歇切れ目を加工することができる。
【００１２】
また、請求項２の発明によると、シート材の切り裂き方向が一定化する間歇切れ目を加工できる刃物を簡単に製作することができる。
【発明を実施するための最良の形態】
【００１３】
以下、この発明の実施の形態を図示例と共に説明する。
【００１４】
図１に示す第１の実施の形態の間歇切れ目形成用刃物１１は、刃物用鋼材を用いた刃物板１２の先端縁に、直線状の刃先１３と欠刃部１４を交互に一定の間隔で設け、上記刃物板１２の欠刃部１４が刃先１３よりも凹入する傾斜状の窪みによって形成され、この窪みの両側傾斜縁部に傾斜刃先１５を設けた構造になっている。
【００１５】
上記のような間歇切れ目形成用刃物１１を製作するには、図１（ａ）のように、横長となる刃物板１２の先端部に直線状の刃先１３を加工し、この刃物板１２の先端部に、長さ方向に一定間隔で、所要の幅で刃先から内側に向かう縦切り欠き１６と、この縦切り欠き１６の内端から両側に屈曲し、刃物板１２の長さ方向に沿う横切り欠き１７をＴ字状の配置で設け、次に、刃物板１２の刃先１３と縦切り欠き１６及び横切り欠き１７で囲まれた両側のコ字状部分１８を、図１（ｂ）のように、縦切り欠き１６及び横切り欠き１７の空間を利用して、刃物板１２の板厚方向に沿って内側に屈曲させることにより、この両側コ字状部分１８の刃先が両側から互いに傾斜して刃先１３よりも凹入し、この凹入による窪みによって欠刃部１４を形成している。
【００１６】
このように、両側コ字状部分１８を刃物板１２の板厚方向に沿って内側に屈曲させることにより、刃物板１２の刃先１３を形成した先端部に欠刃部１４が一定間隔の配置で設けられ、刃先１３と欠刃部１４が交互の配置となり、この欠刃部１４が両側の傾斜縁部に刃先１３と連続した傾斜刃先１５を備えていることになる。即ち、元の刃先１３のコ字状部分１８に位置する部分がそのまま傾斜刃先１５となり、後加工による傾斜刃先の形成工程が不要になる。
【００１７】
図２に示す第２の実施の形態の間歇切れ目形成用刃物１１は、刃物用鋼材を用いた刃物板１２の先端縁に、直線状の刃先１３と欠刃部１４を交互に設け、上記刃物板１２の欠刃部１４が刃先よりも凹入する傾斜状の窪みによって形成され、この窪みの片側傾斜縁部に傾斜刃先１５を設けた構造になっている。
【００１８】
第２の実施の形態の間歇切れ目形成用刃物１１を製作するには、図２（ａ）のように、横長となる刃物板１２の先端部に直線状の刃先１３を加工し、この刃物板１２の先端部に、長さ方向に一定間隔で、所要の幅で刃先１２から内側に向かう縦切り欠き１６と、この縦切り欠き１６の内端から刃物板１２の長さ方向に沿って片側に屈曲する横切り欠き１７ａをＬ字状の配置で設け、次に、刃物板１２の刃先１３と縦切り欠き１６及び横切り欠き１７ａで囲まれた片側のコ字状部分１８を、図２（ｂ）のように、刃物板１２の板厚方向に沿って内側に屈曲させることにより、この片側コ字状部分１８の刃先が片側から傾斜して刃先１３よりも凹入し、この凹入による窪みによって欠刃部１４を形成している。
【００１９】
このように、片側コ字状部分１８を刃物板１２の板厚方向に沿って内側に屈曲させることにより、刃物板１２の刃先１３を形成した先端部に欠刃部１４が一定間隔の配置で設けられ、刃先１３と欠刃部１４が交互の配置となり、この欠刃部１４が片側の傾斜縁部に刃先１３と連続した傾斜刃先１５を備えていることになる。
【００２０】
第１と第２の実施の形態の間歇切れ目形成用刃物１１は、上記のような構成であり、刃先１３を上向きにしたこの刃物１１の刃先１３上にフランジ部２を載置し、フランジ部２を押し下げることで、図４の樹脂容器３のフランジ部２をカットすると、刃先１３が切れ目４ａを入れ、欠刃部１４が切れ目のない部分４ｂを形成することで、小分け容器１ごとに切り離すための間歇切れ目４が加工されることになる。
【００２１】
上記刃物１１による間歇切れ目４の加工において、欠刃部１４は両側又は片側の側縁が刃先１３に連続した傾斜刃先１５になっているので、刃先１３で切り込んだ切れ目４ａの端部は、傾斜刃先１５によって仕上げられることになり、これにより、切れ目４ａの両端部において切れの斑が発生せず、各小分け容器１を間歇切れ目４の部分から分断しようとした場合、分断力で切れ目４ａの端部から切れ目のない部分４ｂに発生する切り裂きの方向が一定化し、切り裂きが次位置の切れ目４ａに正確に達し、小分け容器１の引きちぎりが簡単に行えることになる。
【００２２】
また、切れ目４ａをフランジ部２の厚みの途中で止めるハーフカットの間歇切れ目を加工する場合において、欠刃部１４は両側又は片側の側縁が刃先１３に連続した傾斜刃先１５になっていると、刃先１３の端部における切込み時の抵抗発生がなく、図１（ｃ）のように、ハーフカットの切れ目４ａの深さが一定に均一化し、小分け容器１の引きちぎりが失敗なく簡単に行えるハーフカットの間歇切れ目４を加工することができる。
【００２３】
図３に示す第３の実施の形態の間歇切れ目形成用刃物１１ａは、複数枚の重ね抜きに適した刃物であり、刃物用鋼材を用いた刃物板１２の先端縁に、直線状の刃先１３と欠刃部１４を所定の間隔で交互に設け、上記刃物板１２の欠刃部１４を、刃先１３から内側に向けて内側広がりとなるよう設けた切り欠き１９によって形成した構造になっている。
【００２４】
この第３の実施の形態の間歇切れ目形成用刃物１１ａで、複数枚を重ね合わせたフランジ部２をカットすると、刃先１３が切れ目を入れ、欠刃部１４が切れ目を入れないことにより、小分け容器１ごとに切り離すための間歇切れ目４が加工され、このとき、刃先１３がフランジ部２の厚みを貫通することにより、切れ目のない部分４ｂは切り欠き１９の内部に納まることになるが、この切り欠き１９は内部が両側に広幅となっているので、切れ目のない部分４ｂの両端は刃物板１２と全く干渉しないことになり、抵抗の発生をなくすことで間歇幅が一定化及び均一化した間歇切れ目４を加工することができる。
【００２５】
当然ながら、このような間歇幅が一定化及び均一化した間歇切れ目４は、各小分け容器１を間歇切れ目４の部分から分断しようとした場合、分断力で切れ目４ａの端部から発生する切り裂きの方向が一定化することで、小分け容器１の引きちぎりが失敗なく簡単に行えることになる。
【図面の簡単な説明】
【００２６】
【図１】（ａ）は第１の実施形態の間歇切れ目形成用刃物において、縦切り欠き及び横切り欠きを施した状態の正面図、（ｂ）は完成した同間歇切れ目形成用刃物の正面図、（ｃ）はこの間歇切れ目形成用刃物でシート材にハーフカットの間歇切れ目を加工したフランジ部分の拡大した縦断面図
【図２】（ａ）は第２の実施形態の間歇切れ目形成用刃物の縦切り欠き及び横切り欠きを施した状態の正面図、（ｂ）は完成した同間歇切れ目形成用刃物の正面図
【図３】第３の例の間歇切れ目形成用刃物を示す正面図
【図４】間歇切れ目を施した樹脂容器の平面図
【図５】従来の間歇切れ目形成用刃物の正面図
【符号の説明】
【００２７】
１      小分け容器
２      フランジ部
３      樹脂容器
４      間歇切れ目
４ａ    切れ目
４ｂ    切れ目のない部分
１１    刃物
１１ａ  刃物
１２    刃物板
１３    刃先
１４    欠刃部
１５    傾斜刃先
１６    縦切り欠き
１７    横切り欠き
１８    コ字状部分
１９    切り欠き
【図１】
2006000968.tif 000003
【図２】
2006000968.tif 000004
【図３】
2006000968.tif 000005
【図４】
2006000968.tif 000006
【図５】
2006000968.tif 000007